(57)【要約】      （修正有）【課題】装着されている状態ではアクセサリーとして機能し、人為的に操作しない限り容易には外すことができない、物品の収納が可能なアクセサリー兼用ポーチを提供する。【解決手段】アクセサリー兼用ポーチは、動物の縫いぐるみ１の形態を有する。動物の縫いぐるみ１は、四肢１１、１２、２１、２２を有する胴部３と頭部２とによって構成されている。四肢１１、１２、２１、２２のそれぞれの先端部には、着脱自在な凸型部材３０ａと凹型部材３０ｂの一対の部材からなる脱着具の一方の部材が配設されていて、この一対の部材３０ａ、３０ｂを係合させることによって縫いぐるみ１をベルトＢに装着する。縫いぐるみ１の内部には、物品Ｇを収納するための空洞部が形成されていて、この空洞部の表面に配設されている開閉具４を操作することにより物品Ｇの出し入れを行う。【選択図】図３
0003230660.tif 000002
【実用新案登録請求の範囲】
【請求項１】
四肢を有する胴部と頭部とからなる動物の縫いぐるみの形態のアクセサリー兼用ポーチであって、
前記胴部および／または前記頭部の内部に物品の収納部となる空洞部が形成され、
該空洞部が形成された部分の表面には開口部となる切断部が形成され、当該切断部には開閉自在な開閉具が配設され、
前記四肢の先端部には、着脱自在な凸型部材と凹型部材の一対の部材からなる脱着具の一方の側の部材がそれぞれ配設されており、前記四肢の右前足には前記凸型部材が配設され、前記四肢の左前足には前記凹型部材が配設され、前記四肢の右後足には前記凹型部材が配設され、前記四肢の左後足には前記凸型部材が配設されていることを特徴とするアクセサリー兼用ポーチ。
【請求項２】
四肢を有する胴部と頭部とからなる動物の縫いぐるみの形態のアクセサリー兼用ポーチであって、
前記胴部および／または前記頭部の内部に物品の収納部となる空洞部が形成され、
該空洞部が形成された部分の表面には開口部となる切断部が形成され、当該切断部には開閉自在な開閉具が配設され、
前記四肢の先端部には、着脱自在な凸型部材と凹型部材の一対の部材からなる脱着具の一方の側の部材がそれぞれ配設されており、前記四肢の右前足には前記凹型部材が配設され、前記四肢の左前足には前記凸型部材が配設され、前記四肢の右後足には前記凸型部材が配設され、前記四肢の左後足には前記凹型部材が配設されていることを特徴とするアクセサリー兼用ポーチ。
【請求項３】
前記脱着具は、脱着バックルであることを特徴とする請求項１または請求項２に記載のアクセサリー兼用ポーチ。
【請求項４】
前記四肢の先端部と、前記脱着具の前記凸型部材または前記凹型部材との間には伸縮自在な弾性体が介設されていることを特徴とする請求項１または請求項２に記載のアクセサリー兼用ポーチ。
【請求項５】
前記弾性体は、帯ゴムであることを特徴とする請求項４に記載のアクセサリー兼用ポーチ。
【請求項６】
前記脱着具は、脱着バックルであることを特徴とする請求項４に記載のアクセサリー兼用ポーチ。
【請求項７】
両腕および両足の四肢を有する胴部と頭部とからなる人形の縫いぐるみの形態のアクセサリー兼用ポーチであって、
前記胴部および／または前記頭部の内部に物品の収納部となる空洞部が形成され、
該空洞部が形成された部分の表面には開口部となる切断部が形成され、当該切断部には開閉自在な開閉具が配設され、
前記四肢の先端部には、着脱自在な凸型部材と凹型部材の一対の部材からなる脱着具の一方の側の部材がそれぞれ配設されており、前記四肢の右腕の先端部には前記凸型部材が配設され、前記四肢の左腕の先端部には前記凹型部材が配設され、前記四肢の右足の先端部には前記凹型部材が配設され、前記四肢の左足の先端部には前記凸型部材が配設されていることを特徴とするアクセサリー兼用ポーチ。
【請求項８】
両腕および両足の四肢を有する胴部と頭部とからなる人形の縫いぐるみの形態のアクセサリー兼用ポーチであって、
前記胴部および／または前記頭部の内部に物品の収納部となる空洞部が形成され、
該空洞部が形成された部分の表面には開口部となる切断部が形成され、当該切断部には開閉自在な開閉具が配設され、
前記四肢の先端部には、着脱自在な凸型部材と凹型部材の一対の部材からなる脱着具の一方の側の部材がそれぞれ配設されており、前記四肢の右腕の先端部には前記凹型部材が配設され、前記四肢の左腕の先端部には前記凸型部材が配設され、前記四肢の右足の先端部には前記凸型部材が配設され、前記四肢の左足の先端部には前記凹型部材が配設されていることを特徴とするアクセサリー兼用ポーチ。
【請求項９】
前記脱着具は、脱着バックルであることを特徴とする請求項７または請求項８に記載のアクセサリー兼用ポーチ。
【請求項１０】
前記四肢の先端部と、前記脱着具の前記凸型部材または前記凹型部材との間には伸縮自在な弾性体が介設されていることを特徴とする請求項７または請求項８に記載のアクセサリー兼用ポーチ。
【請求項１１】
前記弾性体は、帯ゴムであることを特徴とする請求項１０に記載のアクセサリー兼用ポーチ。
【請求項１２】
前記脱着具は、脱着バックルであることを特徴とする請求項１０に記載のアクセサリー兼用ポーチ。
【考案の詳細な説明】
【技術分野】
【０００１】
本考案は、使用者の身体やバッグなどに装着することができる物品の収納が可能なポーチであって、アクセサリーとしても機能するアクセサリー兼用ポーチに関するものである。
【背景技術】
【０００２】
従来からハイキングなど屋外での行動に際しては、図７に示したように、屋外の行動に必要な荷物はリュックサックＲ内に収納し、金銭などの貴重品は身体に装着したポーチＰ内に収納している使用者Ｕが多い。
【０００３】
また、リュックサックＲ等の携帯するバッグ類にアクセサリーＡを装着している使用者Ｕも多い。このようなアクセサリーＡが、図７に示した動物の形態の縫いぐるみである場合には、バッグ類に装着したときにその動物の頭部が上側になるように動物の頭部に予め配設されている吊り下げ紐Ａ’によってリュックサックＲにアクセサリーＡを装着するのが一般的である。
【０００４】
ポーチＰには、図８（ａ）に示したように収納部の表面に開閉自在な開閉具Ｐａが配設されており、また、人為的に操作しない限り使用者の身体から離れることがないように、図８（ｂ）に示す使用者のズボンのベルトＢを挿通させる装着部材Ｐｂが背面側に配設されている。
【０００５】
ポーチＰに収納されている物品を使用する場合には、図９（ａ），（ｂ）に示したように、使用者ＵはポーチＰの開閉具Ｐａを開いてポーチＰの収納部に収納されている物品Ｇを取り出して使用し、物品Ｇの使用後には再びポーチＰの収納部に物品Ｇを収納して開閉具Ｐａを閉じる。
【考案の概要】
【考案が解決しようとする課題】
【０００６】
以上説明したように、従来は、ポーチＰとアクセサリーＡとの使用を希望する使用者は、それぞれの物を別々に購入して、それぞれの物を別々の場所に装着していた。
【０００７】
本考案の課題は、装着時においてはアクセサリーとしても機能するアクセサリー兼用ポーチを提供することにある。
【課題を解決するための手段】
【０００８】
以上の課題を解決するために、本考案の第１の手段は、四肢を有する胴部と頭部とからなる動物の縫いぐるみの形態のアクセサリー兼用ポーチであって、前記胴部および／または前記頭部の内部に物品の収納部となる空洞部が形成され、該空洞部が形成された部分の表面には開口部となる切断部が形成され、当該切断部には開閉自在な開閉具が配設され、前記四肢の先端部には、着脱自在な凸型部材と凹型部材の一対の部材からなる脱着具の一方の側の部材がそれぞれ配設されており、前記四肢の右前足には前記凸型部材が配設され、前記四肢の左前足には前記凹型部材が配設され、前記四肢の右後足には前記凹型部材が配設され、前記四肢の左後足には前記凸型部材が配設されていることを特徴とするものである。
【０００９】
また、本考案の第２の手段は、四肢を有する胴部と頭部とからなる動物の縫いぐるみの形態のアクセサリー兼用ポーチであって、前記胴部および／または前記頭部の内部に物品の収納部となる空洞部が形成され、該空洞部が形成された部分の表面には開口部となる切断部が形成され、当該切断部には開閉自在な開閉具が配設され、前記四肢の先端部には、着脱自在な凸型部材と凹型部材の一対の部材からなる脱着具の一方の側の部材がそれぞれ配設されており、前記四肢の右前足には前記凹型部材が配設され、前記四肢の左前足には前記凸型部材が配設され、前記四肢の右後足には前記凸型部材が配設され、前記四肢の左後足には前記凹型部材が配設されていることを特徴とするものである。
【００１０】
以上の第１の手段と第２の手段においては、前記脱着具は、脱着バックルであってもよい。
【００１１】
また、以上の第１の手段と第２の手段においては、前記四肢の先端部と、前記脱着具の前記凸型部材または前記凹型部材との間には伸縮自在な弾性体が介設されていてもよい。ここで、前記弾性体は、帯ゴムであってもよいし、また、前記脱着具は、脱着バックルであってもよい。
【００１２】
先の課題を解決するために、本考案の第３の手段は、両腕および両足の四肢を有する胴部と頭部とからなる人形の縫いぐるみの形態のアクセサリー兼用ポーチであって、前記胴部および／または前記頭部の内部に物品の収納部となる空洞部が形成され、該空洞部が形成された部分の表面には開口部となる切断部が形成され、当該切断部には開閉自在な開閉具が配設され、前記四肢の先端部には、着脱自在な凸型部材と凹型部材の一対の部材からなる脱着具の一方の側の部材がそれぞれ配設されており、前記四肢の右腕の先端部には前記凸型部材が配設され、前記四肢の左腕の先端部には前記凹型部材が配設され、前記四肢の右足の先端部には前記凹型部材が配設され、前記四肢の左足の先端部には前記凸型部材が配設されていることを特徴とするものである。
【００１３】
また、本考案の第４の手段は、両腕および両足の四肢を有する胴部と頭部とからなる人形の縫いぐるみの形態のアクセサリー兼用ポーチであって、前記胴部および／または前記頭部の内部に物品の収納部となる空洞部が形成され、該空洞部が形成された部分の表面には開口部となる切断部が形成され、当該切断部には開閉自在な開閉具が配設され、前記四肢の先端部には、着脱自在な凸型部材と凹型部材の一対の部材からなる脱着具の一方の側の部材がそれぞれ配設されており、前記四肢の右腕の先端部には前記凹型部材が配設され、前記四肢の左腕の先端部には前記凸型部材が配設され、前記四肢の右足の先端部には前記凸型部材が配設され、前記四肢の左足の先端部には前記凹型部材が配設されていることを特徴とするものである。
【００１４】
以上の第３の手段と第４の手段においては、前記脱着具は、脱着バックルであってもよい。
【００１５】
また、以上の第３の手段と第４の手段においては、前記四肢の先端部と、前記脱着具の前記凸型部材または前記凹型部材との間には伸縮自在な弾性体が介設されていてもよい。ここで、前記弾性体は、帯ゴムであってもよいし、また、前記脱着具は、脱着バックルであってもよい。
【考案の効果】
【００１６】
本考案によれば、装着されている状態ではアクセサリーとして機能し、人為的に操作しない限り容易には外すことができない物品の収納が可能なアクセサリー兼用ポーチを提供することができる。
【図面の簡単な説明】
【００１７】
【図１】本考案の実施例１の構成を示す正面側から視た斜視図である。
【図２】本考案の実施例１の構成を示す背面側から視た斜視図である。
【図３】本考案の実施例１の使用方法の説明図である。
【図４】本考案の実施例１の使用方法の説明図である。
【図５】本考案の実施例１の構成の説明図である。
【図６】本考案の実施例１の構成の説明図である。
【図７】従来のポーチおよびアクセサリーの使用状態の説明図である。
【図８】従来のポーチの構成の説明図である。
【図９】従来のポーチの使用方法の説明図である。
【考案を実施するための形態】
【００１８】
以下、図面を用いて本考案の実施例について説明する。
【実施例１】
【００１９】
図１は、本考案の実施例１に係る動物の縫いぐるみ１の形態を有するアクセサリー兼用ポーチの正面側から視た構成を示す斜視図であり、図２（ａ），（ｂ）は、図１に示した縫いぐるみ１の背面側から視た構成を示す斜視図である。
【００２０】
図１に示したように、動物の縫いぐるみ１は、右前足１１，左前足１２，右後足２１，左後足２２の四肢を有する胴部３と頭部２とによって構成されている。
【００２１】
また図２（ａ），（ｂ）に示したように、頭部２と胴部３の内部は、物品を収納する収納部となる空洞部が形成されており、この空洞部の部分の表面には物品の出し入れの際の開口部となる切断部が形成されている。この切断部には、開閉自在な開閉具４が配設されている。
【００２２】
図２（ｂ）に示したように、本実施例１においては、胴部３の内部とこの胴部３に連設されている頭部２の下側の部分に収納部となる空洞部が形成されているが、この空洞部は、胴部３の内部のみ又は頭部２の内部のみに形成する構成としてもよい。
【００２３】
図１に示したように、縫いぐるみ１の四肢１１，１２，２１，２２の先端部には、着脱自在な凸型部材３０ａと凹型部材３０ｂの一対の部材によって構成される脱着具の一方の側の部材がそれぞれ配設されている。本実施例１においては、このような脱着具として脱着バックルが用いられている。
【００２４】
ここで、図１に示したように、右前足１１の先端部に凸型部材３０ａを配設した場合には、左前足１２と右後足２１に凹型部材３０ｂを配設し、左後足２２に凸型部材３０ａを配設する。もし、右前足１１の先端部に凹型部材３０ｂを配設する場合には、左前足１２と右後足２１に凸型部材３０ａを配設し、左後足に凹型部材３０ｂを配設する。
【００２５】
以上のように凸型部材３０ａと凹型部材３０ｂとを配設すれば、図３（ａ）に示したように上下方向に延在するベルトＢに縫いぐるみ１を装着する場合には、右前足１１の凸型部材３０ａを左前足１２の凹型部材３０ｂと係合させ、右後足２１の凹型部材３０ｂを左後足２２の凸型部材３０ａと係合させれば、縫いぐるみ１の頭部２が胴部３よりも上方になった状態で縫いぐるみ１をベルトＢに装着することができる。
【００２６】
また、図４（ａ），（ｂ）に示したように、水平方向に延在するベルトＢに縫いぐるみ１を装着する場合には、右前足１１の凸型部材３０ａを右後足２１の凹型部材３０ｂに係合させ、左前足１２の凹型部材３０ｂを左後足２２の凸型部材３０ａに係合させれば、縫いぐるみ１の頭部２が胴部３よりも上方になった状態で縫いぐるみ１をベルトＢに装着することができる。
【００２７】
図３（ａ）に示したように縫いぐるみ１をベルトＢに装着した場合には、人為的に操作をしない限り、凸型部材３０ａと凹型部材３０ｂとの係合状態は維持されるので、縫いぐるみ１はベルトＢから離脱するような事はない。
【００２８】
縫いぐるみ１の内部に収納されている物品を使用する場合には、図３（ｂ）に示したように、使用者はベルトＢに装着されている縫いぐるみ１の開閉具４を開いて収納されている物品Ｇを取り出して使用し、使用後には再び縫いぐるみ１の内部に収納して開閉具４を閉じておけば、物品Ｇが紛失するような事はない。
【００２９】
ここで、図５（ａ）に示したように、縫いぐるみ１の四肢の先端部と凸型部材３０ａまたは凹型部材３０ｂとの間に帯ゴム等の伸縮自在な弾性体４０を介設する構成としておけば、図５（ｂ）に示したように幅広のベルトＢにも縫いぐるみ１を容易に装着することができる。
【００３０】
なお、図６（ａ）〜（ｃ）に示すように、縫いぐるみ１となる動物は、四肢１１，１２，２１，２２を有する胴部３と頭部２とからなる動物であれば、その種類は問わない。
【００３１】
さらに、この縫いぐるみ１は図（ｄ）に示すように人形の縫いぐるみ１であってもよい。この場合には、図１〜図５を用いた動物の縫いぐるみ１の説明における「右前足１１」を「右腕１１」と、「左前足１２」を「左腕１１」と、「右後足２１」を「右足２１」と、「左後足２２」を「左足２２」と読み替えれば、縫いぐるみ１が人形の場合の説明となる。
【符号の説明】
【００３２】
１    縫いぐるみ
２    頭部
３    胴部
４，Ｐａ    開閉具
１１    右前足
１２    左前足
２１    右後足
２２    左後足
３０ａ    凸型部材
３０ｂ    凹型部材
４０    弾性体
Ａ      アクセサリー
Ａ’    吊り下げ紐
Ｂ      ベルト
Ｇ      物品
Ｐ      ポーチ
Ｐｂ    装着部材
Ｒ      リュックサック
Ｕ      使用者
【図１】
0003230660.tif 000003
【図２】
0003230660.tif 000004
【図３】
0003230660.tif 000005
【図４】
0003230660.tif 000006
【図５】
0003230660.tif 000007
【図６】
0003230660.tif 000008
【図７】
0003230660.tif 000009
【図８】
0003230660.tif 000010
【図９】
0003230660.tif 000011